(57)【要約】【目的】本発明は家庭用ドラム式洗濯機の、脱水時の共振振動を軽減する。【構成】洗濯機底部の剛性の変化を使用し、回転する洗濯ドラムが起こす振動周波数と、洗濯機のネジ孔周辺が持つ固有の振動周波数が異なる様にして、共振振動を無くする又は軽減する方法である。基本的に２種類の手段がある。第１は固定脚の高さ調整ボルトが取付け用ネジ孔に付いている洗濯機の底部に、高さ調整ボルトに通されているスペーサーを下からナットで締め付けて固定し、ネジ孔周辺の剛性を変える。第２は高さ調整ボルトが付いているネジ孔周辺の剛性を強くする為に、ネジ孔周辺に座押し加工を施す。その際その長軸をネジ孔方向に向けて加工して、ネジ孔周辺の剛性を変える。【選択図】  図３
2004154537.tif 000002
【特許請求の範囲】
【請求項１】
家庭用ドラム式洗濯機であって、底部構造の振動軽減に関し、洗濯機の固定脚に使われる高さ調整ボルトが家庭用ドラム式洗濯機の底部（以後「家庭用ドラム式洗濯機の底部」を「該底部」と呼ぶ）に設けられているネジ孔にセットされた時の該底部の持つ固有の振動周波数帯を低い領域に移し、回転ドラムが脱水時に起こす振動周波数帯と共振しないようにして振動を軽減する方法で、必要な手段は、該底部のネジ孔周辺の剛性を変えて固有の振動周波数帯を移動させる。その為に、高さ調整ボルトを取付けるネジ孔が設けられている該底部に、各洗濯機の仕様に応じて振動周波数帯が共振しなくなる寸法の金属板、又は合成樹脂板を、高さ調整ボルトにセットされているナットを使い底部の下に圧着する構造とする。金属板を溶接する場もある。
【請求項２】
家庭用ドラム式洗濯機であって、底部構造の振動軽減に関し、洗濯機の固定脚に使われる高さ調整ボルトが該底部に設けられているネジ孔にセットされたの該底部の持つ固有の振動周波数帯を低い領域に移動し、回転ドラムが脱水時に起こす振動周波数帯と共振しないようにして振動を軽減する方法で、必要な手段は、該底部のネジ孔周辺の剛性を変えて固有の振動周波数帯を移動させる。その為、高さ調整ボルトを取付けるネジ孔が設けられている該底部の、そのネジ孔周辺に各洗濯機の仕様に応じて振動周波数帯が共振しなくなる形状の座押し部を、ネジ孔を中心とする同心円の接線に垂直にそれの長軸が向くよう又は接線を横切る様に、数個設ける構造とする。金属板を溶接する場合もあります。
【請求項３】
請求項１と  請求項２を合わせた構造による家庭用ドラム式洗濯機の振動を軽減する方法
【発明の詳細な説明】
【０００１】
【産業上の利用分野】
本発明は少ない費用で静かな家庭用ドラム式洗濯機を作る。
【０００２】
【従来の技術】
洗濯機を大量生産する為に、加工し易い様に薄い鋼材を使用している従来型洗濯機の典型的な構造は図−１である。また図−１のｄ）はその底部を示している。従来型洗濯機の底部にある固定脚と高さ調整ボルトは公開実用新案公報の昭５６−９９１９０の第１図に示されている。図２で示す様に家庭用ドラム式洗濯機（以後「家庭用ドラム式洗濯機」を「洗濯機」と呼ぶ）の底部に付いている固定脚（９）の周辺構造は、水平バランスをとる事を目的として、フレームの底部（８）に、又は実開昭６４−００８３９１に示されているようにフレームの底部の幅が狭い為、その底部を補強している座押し部を設けた支持板（１４）に、高さ調整ボルト（１１）（以後「高さ調整ボルト」を「調整ボルト」と呼ぶ）を通すネジ孔（１５）を設け、調整ボルト（１１）が組み込まれ、其れを該底部に固定する為にセットされているナット（１０）等で構成されている。この種の洗濯機に洗濯物を入れて高速脱水する時、回転ドラムの偏芯状態は回転ドラムを強制振動源に変え、振動は、ダンパー（２）と吊りスプリング（１）を経てフレーム（３）に伝わる。
【０００３】
洗濯機の振動を少なくする為、例えば回転ドラム（６）の外槽（４）を吊りスプリング（１）を工夫し、または外槽（４）を支えるダンパー（２）を改良し、または振動を検知して電子回路を使い駆動モーター（７）の回転の制御を考え、また特許番号２９１１２３４、特開平０９−１５５０９７の様に洗濯機の振動吸収の為に固定脚（９）の一部に振動吸収を目的とするゴム構造、スプリング構造などを付帯させる工夫が凝らされているが、掛かる費用が大きな割に、振動軽減には満足した結果が出ていない。
【０００４】
最新の洗濯機には特許番号３１０３２５０の様に回転ドラム（６）に流体バランス装置を付加している。しかし、完全なバランス平衡状態を設定する事は不可能に近く揺れている。しかも工夫の内容が複雑で製造コストが高い。
【０００５】
【発明が解決しようとする課題】
本発明は従来型の洗濯機を、簡易な技術で、しかも少ない費用で脱水時の振動を軽減する。
【０００６】
【課題を解決するための手段】
洗濯機振動の要因のひとつは、固定脚（９）の調整ボルト取付けのネジ孔周辺構造にある。振動現象はネジ孔（１５）を中心に起こり、その振動波は同心円状で、該底部の表面を拡散する。ネジ孔周辺の構造は固有の振動周波数を持っており、この振動周波数と強制振動源の周波数と共振しない方法を解決するための手段とする。以下の構造にすると、該底部のネジ孔周辺の剛性が変化し、調整ボルト（１１）がネジ孔（１５）に組み込まれた従来の固有の振動周波数帯が低い領域に移動する事になり、回転ドラム（６）が偏芯で起こす洗濯時の振動周波数帯はこの周波数帯と重ならなくなり、ネジ孔周辺との共振が無くなる。
【０００７】
課題を解決する構造に３種類がある。第１種は洗濯機の底部構造である図３及び図４の様に、調整ボルト（１１）が取付けられているネジ孔（１５）があるフレームの底部（８）又は支持板（１４）のある該底部の、ネジ孔周辺の剛性を強くする為に、調整ボルト（１１）にセットされているナット（１０）を使い、該底部とナット（１０）の間に、各洗濯機の仕様に応じ振動周波数帯が共振しなくなる寸法の金属板，又は合成樹脂板（以後「金属板」と「合成樹脂板」を「スペーサー」と呼ぶ）を、下から圧着して該底部の外側に取付ける。スペーサー（１３）を溶接で該底部に取付ける場合もある。この構造によりネジ孔周辺の剛性は強くなる。スペーサー（１３）の材質の条件は洗濯機の振動で“ひずまない縦、横、高さの各寸法”を持つ事が必要である。しかし洗濯機の底部全体の剛性を変える必要はなく、ネジ孔周辺で十分である。
【０００８】
また第２種は洗濯機の底部構造である図５及び図６の様に、ネジ孔（１５）が設けてあるフレーム底部（８）に又は支持板（１４）のある該底部の、ネジ孔周辺の剛性を強くする為、ネジ孔周辺の一部に数個の山を座押し部の加工を施す。振動はネジ孔（１５）を中心に同心円状で拡散するので、各洗濯機の仕様に応じて振動周波数帯が共振しなくなる形状の座押し部（１２）を設ける際は、その座押し部（１２）の長軸方向はネジ孔（１５）の同心円の接線を横切る方向にする。理想的には接線に直角に成ることが望ましい。この数個の座押し部によりネジ孔周辺の剛性は強くなる。
【０００９】
また第３種は図７の様に第１と第２を合わせた構造で、より効果的な対策に成り、第１及び第２を単独で使用するよりも軽減させる事が出来る。
【００１０】
第１の場合、スペーサー（１３）の使用の振動軽減効果はスペーサー（１３）の面積に比例する。また第２の場合、振動軽減効果は座押し部（１２）の長軸の長さとその数に比例するので洗濯機の仕様に合わせて決める。調整ボルトにゴム、スプリングなどの弾性体部品は、振動を複雑にするので避けた方が条件を設定し易い。
【００１１】
【発明の実施の形態】
現在普及している洗濯時の総重量が９０−１３５ｋｇ程度を想像出来る。４本の固定脚（９）で支える場合、１本の調整ボルト（１１）に静止荷重量で約２０−３５ｋｇ掛かる。前に記載した様に洗濯機の振動を減らす為、振動軽減の基本的な対策として、該底部に取付けられているネジ孔周辺が振動状態にならない様にする事が必要である。
【００１２】
実施例として図３の様に、洗濯機の自重約８０ｋｇで鉄製板のフレーム（３）の厚さ１ｍｍの洗濯機で、ネジ孔（１５）が設けてあるその底部の鉄製支持板の厚さは、１．５ｍｍで、４箇所に幅５０ｘ７０ｍｍで厚さ４ｍｍの金属板をスペーサー（１３）として取付けてナット（１０）で上に締め付ける。また矩形のスペーサー（１３）が振動した時に、振動波は同心円状で拡散しないので、円形より振動軽減効果がある。
【００１３】
【発明の効果】
１）本発明により、洗濯機本体の飛び上がり、移動する異常振動はなくなる。
【００１４】
２）第２の構造の座押し部加工には、従来の製造技術が使える。
【００１５】
３）第１の取付け作業では、固定脚取付け工程で同時に行われ作業時間は変わらない。
以上で具体例も含め説明を終わるが、詳細説明から容易に予想できる材質変更・溶接加工などの仕様変更技術は本発明の権利侵害とみなすと了解して頂きたい。
【図面の簡単な説明】
【図１】従来型洗濯機の主要部品配置図でａ）は正面配置図、ｂ）は側面配置図、ｃ）はフレームの斜視図、及び  ｄ）は洗濯機の底部の周辺図
【図２】従来型洗濯機の固定脚周辺部の構造でａ）はフレームの底部にネジ孔が設けられ調整ボルトがセットされている構造図で、ａ）−１は底部の上面図、ａ）−２はＡ−Ａ断面図、ｂ）はフレームの底部に支持板を付け、その支持板に座押し部とネジ孔が設けられ、調整ボルトがセットされている構造図で、ｂ）−１底部の上面図、ｂ）−２はＡ−Ａ断面図
【図３】フレーム底部にネジ孔付き支持板が取付けられており、それに調整ボルトがセットされている構造で、支持板の下側にスペーサーをナットで圧着し、ネジ孔周辺の底部の剛性を強くしている構造図で、ａ）は底部の上面図、ｂ）はＡ−Ａ断面図
【図４】フレームに支持板が固定され、支持板に下からスペーサーが付いている状態を下方から見ている状態図
【図５】フレームにネジ孔付き支持板が取付けられており、それに座押し部が加工されている状態図で、座押し部の長軸方向がネジ孔方向に向いている。ａ）はフレーム底部の上面図で、ｂ）はＡ−Ａ断面図
【図６】フレームの底部に付けられた支持板にネジ孔と座押し部が加工された状態を洗濯機の下側から見上げた状態図
【図７】座押し部が付いている構造と、スペーサーを使用している構造を併用したものでありａ）は上面図とｂ）はＡ−Ａ断面図
【符号の説明】
１．  吊りスプリング
２．  ダンパ−
３．  フレーム
４．  外漕
５．  洗濯物
６．  回転ドラム
７．  駆動モーター
８．  フレームの底部
９．  固定脚
１０．  ナット
１１．  高さ調整ボルト
１２．  座押し部
１３．  スペーサー
１４．  支持板
１５．  ネジ孔
１６．  リベット
１７．  貫通穴
【図１】
2004154537.tif 000003
【図２】
2004154537.tif 000004
【図３】
2004154537.tif 000005
【図４】
2004154537.tif 000006
【図５】
2004154537.tif 000007
【図６】
2004154537.tif 000008
【図７】
2004154537.tif 000009
【手続補正書】
【提出日】平成16年2月13日(2004.2.13)
【手続補正２】
【補正対象書類名】明細書
【補正対象項目名】特許請求の範囲
【補正方法】変更
【補正の内容】
【特許請求の範囲】
【請求項１】
家庭用水平ドラム式洗濯機（以後「家庭用水平ドラム式洗濯機」を「家庭用ドラム式洗濯機」と呼ぶ）において、洗濯機の底部にネジ孔を設け、高さ調整のボルト付き脚を通じて、強制振動源である回転ドラムから、振動が床に伝わる時、時々おこる洗濯機の移動現象を、該ネジ孔周辺の硬度を変えて、該ネジ孔周辺の固有振動周波数帯を低い領域に移し、回転ドラムが脱水時に起こす振動周波数帯との重複を避ける事で対処して、共振振動による異常振動状態を防ぐ方法
【請求項２】
家庭用ドラム式洗濯機の底部において、ネジ孔周辺が持つ固有の振動周波数帯を低い領域に移す構造にあって、該ネジ孔が設けられている該底部に、各洗濯機の状況に応じて、振動削減効果が圧着面の面積に比例する特徴を利用して、洗濯機の振動で歪まない「縦、横、高さ」が決められた特定仕様の金属板又は合成樹脂板を高さ調整ボルトにセットされているナットを使い該底部の下に圧着する事を特徴とする底部構造と、またその金属板を溶接する事を特徴とする底部構造と、また座押し部を該ネジ孔周辺にネジ孔を中心とする同心円の接線に成形し、その長軸が垂直に向くよう又は接線を横切る様にする事を特徴とした底部構造